(57)【特許請求の範囲】
【請求項１】
電極間に配置された有機電界発光材料からなる薄膜を有し該電極間に電圧が印加されると該有機電界発光材料薄膜が発光する有機発光素子を含み、該有機発光素子の発光により表示を行う発光表示部をファインダー内に形成するファインダー表示装置を有する光学機器において、
上記有機発光素子の電極は、透明材料で形成された透明電極部と、非透明材料で形成された非透明電極部とを含み、
該非透明電極部によりファインダー内に遮光表示部を形成することを特徴とする、ファインダー表示装置を有する光学機器。
【請求項２】
上記遮光表示部を形成する上記非透明電極部に隣接して接眼側に上記有機電界発光材料を配置し、該有機電界発光材料に隣接して接眼側に上記透明電極部を配置し、上記遮光表示部の接眼側に上記発光表示部を重ねたことを特徴とする、請求項１記載のファインダー表示装置を有する光学機器。
【請求項３】
被写体の輝度を検出する被写体輝度検出手段と、
該被写体輝度検出手段により検出された被写体の輝度に応じて、上記発光表示部を発光させる発光表示部制御手段とを備えたことを特徴とする、請求項２記載のファインダーを有する光学機器。
【請求項４】
上記ファインダー表示装置は、
独立して発光させることができる少なくとも２以上の上記発光表示部と、
該発光表示部を選択する発光表示部選択手段とを備え、
該発光表示部選択手段により選択された上記発光表示部を発光させることを特徴とする、請求項２記載のファインダーを有する光学機器。
【請求項５】
上記有機発光素子は、被写体からの光が通過する位置を横断して配置され、
上記発光表示部は、被写体からの光が通過する部分に形成され、
上記有機発光素子の電極は、被写体からの光を通過させる部分が透明材料で形成されたことを特徴とする、請求項１記載のファインダー表示装置を有する光学機器。
【請求項６】
請求項５記載のファインダー表示装置を有する光学機器は、撮影レンズを通過した被写体像を結像させる光学系を備えたファインダーを有するカメラであって、
上記有機発光素子は、ファインダーにより観察される被写体像の結像位置近傍に配置されることを特徴とする、ファインダー表示装置を有するカメラ。
【請求項７】
請求項５記載のファインダー表示装置を有する光学機器は、対物レンズと接眼レンズの間に対物プリズムと接眼プリズムを備え、対物プリズムと接眼プリズムとの間に被写体像を結像させるファインダーを有するカメラであって、
上記有機発光素子は、上記対物プリズムと上記接眼プリズムの間に配置されることを特徴とする、ファインダー表示装置を有するカメラ。
【請求項８】
電極間に配置された有機電界発光材料からなる薄膜を有し該電極間に電圧が印加されると該有機電界発光材料薄膜が発光する有機発光素子を含み、該有機発光素子の発光により表示を行う発光表示部をファインダー内に形成するファインダー表示装置を有する光学機器において、
上記有機発光素子は、被写体からの光が通過する位置を横断して配置され、
視野枠により内側に上記被写体からの光が通過する視野エリアを形成するとともに、その外側にインファインダー表示部を形成する視野エリアを形成し、
上記有機発光素子は、上記視野枠の内側の視野エリアおよび外側の視野エリアにそれぞれ配置される複数の上記発光表示部を備え、
上記視野枠の内側および外側にそれぞれ配置される複数の上記発光表示部を同一基板上に一体的に形成されたことを特徴とする、ファインダー表示装置を有する光学機器。
【請求項９】
上記有機発光素子の電極のうち、ファインダー内において視野枠の内側の視野エリアに配置される部分は透明材料で形成され、視野枠の外側の視野エリアに配置される部分は非透明材料で形成されたことを特徴とする、請求項８記載のファインダーを有するカメラ。
【請求項１０】
上記有機発光素子は、長辺と短辺を持つ矩形形状であり、該長辺側に電極引き出し部が配置されたことを特徴とする、請求項１〜８に記載のファインダー表示装置を有する光学機器。
【発明の詳細な説明】
【０００１】
【発明の属する技術分野】
本発明は、ファインダー表示装置およびそれを備えた光学機器に関する。
【０００２】
【従来の技術】
従来、たとえば一眼レフカメラでは、図１２および図１３に示すように、ファインダー内には、視野枠４の内側に配置されたワイドフォーカスフレーム７、スポットフォーカスフレーム８、スポット測光フレーム９と、視野枠２の外側に配置されたインファインダ表示部６ａ，６ｂとが見えるようになっていた。視野枠４は、フィルムに露光する撮影範囲を示す。ワイドフォーカスフレーム７は、被写体の広い範囲で測距して撮影レンズの焦点を自動調整する場合のＡＦエリアフレームを示す。スポットフォーカスフレーム８は、被写体の狭い範囲で測距して撮影レンズの焦点を自動調整する場合のＡＦエリアフレームを示す。スポット測光フレーム９は、被写体の狭い範囲で測光する場合の測光領域を示す。インファインダ表示部６ａ，６ｂは、シャッター速度、絞り値、フォーカス情報、撮影モード等の撮影情報を表示する。
【０００３】
これらの表示のうち、視野枠４より内側のワイドフォーカスフレーム７、スポットフォーカスフレーム８、スポット測光フレーム９は、ファインダー光学系の被写体像結像位置に配置した焦点板上に描いたケガキ線で形成され、これ自体は発光しないため、ＬＥＤ等を設けて外部から照明するように構成されている。そのため、照明機構が別途必要となり、また、ファインダー組立時に照明位置の調整が必要となる。
【０００４】
また、たとえば図１４に示すように、視野枠４より内側のフレーム等の表示を焦点板６７に隣接して配置した透過型の液晶板１０１によって形成し、撮影レンズ６５を通りクイックリターンミラー６６で反射した光を利用して液晶板１０１の表示を視認するようにした一眼レフカメラも提供されている。液晶板１０１のフレーム等の表示は、それ自体が発光しないので、被写体輝度が低いと見にくくなる。
【０００５】
この一眼レフカメラでは、視野枠外の表示は、文字・絵などを表示する液晶板１１２をバックライト１１１で照明し、プリズム１１３からペンタプリズム６８へ導き、接眼レンズ６９を通して視認できるように構成されている。また、ＬＥＤ１２１からの光をマスク１２２、レンズ１２４、プリズム１２６からペンタプリズム６８へ導き、接眼レンズ６９を通して視認できるように構成されている。そのため、液晶板１１２やＬＥＤ１２２等を配置するスペースが必要となる。
【０００６】
【発明が解決しようとする課題】
したがって、本発明が解決しようとする技術的課題は、簡単な構成でファインダー内の表示を見やすくしたファインダー表示装置およびそれを備えた光学機器を提供することである。
【０００７】
【課題を解決するための手段および作用・効果】
本発明は、上記技術的課題を解決するために、以下の構成のファインダー表示装置を備えた光学機器を提供する。
【０００８】
ファインダー表示装置を備えた光学機器は、電極間に配置された有機電界発光材料からなる薄膜を有し該電極間に電圧が印加されると該有機電界発光材料薄膜が発光する有機発光素子を含み、該有機発光素子の発光により表示を行う発光表示部をファインダー内に形成するタイプのファインダー表示装置を有する。上記有機発光素子の電極は、透明材料で形成された透明電極部と、非透明材料で形成された非透明電極部とを含み、該非透明電極部によりファインダー内に遮光表示部を形成する。
【０００９】
上記構成によれば、同一有機発光素子に発光表示部を形成すると同時に、有機発光素子の電極の一部を不透明にすることによって遮光表示部を形成することができる。有機発光素子を単一基板上に構成し、遮光表示部を、表示したい領域のフレーム枠などの表示部としてパターニングして形成することで、従来装置のようなケガキは不要となる。また、発光表示部は、周囲が暗くても明るく表示して見やすくすることができる。
【００１０】
したがって、簡単な構成でファインダー内の表示を見やすくすることができる。
【００１１】
好ましくは、上記遮光表示部を形成する上記非透明電極部に隣接して接眼側に上記有機電界発光材料を配置し、該有機電界発光材料に隣接して接眼側に上記透明電極部を配置し、上記遮光表示部の接眼側に上記発光表示部を重ねる。
【００１２】
上記構成によれば、ファインダー内に表示した遮光表示部が暗くて見えにくい場合に、遮光表示部に重ねた発光表示部を発光させることによって、視認性を向上することができる。
【００１３】
好ましくは、被写体の輝度を検出する被写体輝度検出手段と、該被写体輝度検出手段により検出された被写体の輝度に応じて、上記発光表示部を発光させる発光表示部制御手段とを備える。
【００１４】
上記構成によれば、暗い状況を検知して自動的に発光させることで、視認性、操作性を向上することができる。
【００１５】
上記ファインダー表示装置は、独立して発光させることができる少なくとも２以上の上記発光表示部と、該発光表示部を選択する発光表示部選択手段とを備える。該発光表示部選択手段により選択された上記発光表示部を発光させる。
【００１６】
上記構成によれば、測距・測光領域や撮影モード等を表示する複数の発光表示部の中から、選択的に任意の発光表示部を発光、すなわち点灯させることで、点灯している発光表示部により、選択されている領域やモード等を容易に認識できるようにすることができる。
【００１７】
また、本発明は、以下の構成のファインダー表示装置を有する光学機器を提供する。
【００１８】
好ましくは、上記有機発光素子は、被写体からの光が通過する位置を横断して配置される。上記発光表示部は、被写体からの光が通過する部分に形成される。上記有機発光素子の電極は、被写体からの光を通過させる部分が透明材料で形成される。
【００１９】
上記構成において、有機発光素子を点灯駆動するための電極を透明にすることで、ファインダー内の光路中に発光表示部を配置することが可能となり、ファインダー光学系外から表示を送り込む従来の方法に比べて、機構の簡略化、小型化、省スペースを達成することができる。また、発光表示部は、周囲が暗くても明るく表示して見やすくすることができる。
【００２０】
したがって、簡単な構成でファインダー内の表示を見やすくすることができる。
【００２１】
上記構成のファインダー表示装置を有する光学機器は、具体的には、以下の態様で構成される。
【００２２】
第１の態様としては、ファインダー表示装置を有する光学機器は、撮影レンズを通過した被写体像を結像させる光学系を備えたファインダーを有するカメラである。上記有機発光素子は、ファインダーにより観察される被写体像の結像位置近傍に配置される。
【００２３】
上記態様によれば、たとえば従来の一眼レフレックスカメラのように、撮影レンズ、反射ミラー、焦点板、ペンタプリズムまたは反射光学系、接眼レンズを備える場合には、撮影レンズを通過した被写体象を結像させる焦点板と、ペンタプリズムまたは反射光学系との間に有機発光素子を配置し、結像した被写体像とともに有機発光素子による表示をファインダーから見えるように構成することができる。
【００２４】
第２の態様としては、ファインダー表示装置を有する光学機器は、対物レンズと接眼レンズの間に対物プリズムと接眼プリズムを備え、対物プリズムと接眼プリズムとの間に被写体像を結像させるファインダーを有するカメラである。上記有機発光素子は、上記対物プリズムと上記接眼プリズムの間に配置される。
【００２５】
上記態様によれば、被写体象を結像させる対物プリズムと接眼プリズムとの間に有機発光素子を配置することにより、結像した被写体像とともに有機発光素子による表示をファインダーから見えるように構成することができる。
【００２６】
また、本発明は、以下の構成のファインダー表示装置を有する光学機器を提供する。
【００２７】
ファインダー表示装置を有する光学機器は、電極間に配置された有機電界発光材料からなる薄膜を有し該電極間に電圧が印加されると該有機電界発光材料薄膜が発光する有機発光素子を含み、該有機発光素子の発光により表示を行う発光表示部をファインダー内に形成するタイプのファインダー表示装置を有する。上記有機発光素子は、被写体からの光が通過する位置を横断して配置される。視野枠により内側に上記被写体からの光が通過する視野エリアを形成するとともに、その外側にインファインダー表示部を形成する視野エリアを形成する。上記有機発光素子は、上記視野枠の内側の視野エリアおよび外側の視野エリアにそれぞれ配置される複数の上記発光表示部を備える。上記視野枠の内側および外側にそれぞれ配置される複数の上記発光表示部を同一基板上に一体的に形成される。
【００２８】
上記構成によれば、視野枠の内側および外側の発光表示部を一体的に形成することにより、小型化、コストダウンが可能となる。また、発光表示部は、周囲が暗くても明るく表示して見やすくすることができる。
【００２９】
したがって、簡単な構成でファインダー内の表示を見やすくすることができる。
【００３０】
好ましくは、上記有機発光素子の電極のうち、ファインダー内において視野枠の内側の視野エリアに配置される部分は透明材料で形成され、視野枠の外側の視野エリアに配置される部分は非透明材料で形成される。
【００３１】
上記構成によれば、視野枠の内側に配置されるため被写領域の視野の妨げにならないように透明である必要がある部分については、電極に透明材料を用いる一方、透明である必要がない視野枠より外側の部分では電気抵抗値が透明材料より低い非透明材料を電極に用いることで、全体の配線抵抗を低くして、発光効率を高めることができる。
【００３２】
以上説明した各構成のファインダー表示装置を有する光学機器において、好ましくは、上記有機発光素子は、長辺と短辺を持つ矩形形状であり、該長辺側に電極引き出し部が配置される。
【００３３】
上記構成によれば、外部から電極に電源を供給するための電極引き出し部を有機発光素子の外形長辺側に配置することで、電極のトータル配線長を短縮して電気抵抗を小さくし、発光効率を高めることができる。
【００３４】
【発明の実施の形態】
以下、本発明の各実施形態に係るファインダー表示装置およびそれを備えた光学機器であるカメラについて、図面を参照しながら説明する。
【００３５】
まず、ファインダー内において視野枠より内側にのみ表示部を形成する第１実施形態のコンパクトカメラ、あるいはデジタルカメラについて、図１〜図６を参照しながら説明する。図１は、表示板を模式的に示した平面図である。図２は、表示板の要部拡大平面図である。図３は、表示板の構造を模式的に示した断面構造図である。図４は、表示板を点灯駆動する電気回路のブロック図である。図５は、ファインダー光学系の構成図である。図６は、視野枠内に７セグメント表示部を持つ表示板の平面図である。
【００３６】
本実施形態のコンパクトカメラ、あるいはデジタルカメラは、図５に示すように、撮影光学系とは別にファインダー光学系６０ａを備える。ファインダー光学系６０ａは、対物レンズ６１と、対物プリズム６２と、接眼プリズム６３と、接眼レンズ６４とを備え、対物プリズム６２と接眼プリズム６３との間の被写体像結像位置に、有機発光素子を用いた表示板７０が配置される。
【００３７】
ファインダー内には、図１に模式的に示した有機発光素子を用いた表示板７０が見えるようになっている。表示板７０は、有効視野エリア２４内、すなわち封止剤２２の内側のほぼ全域に有機電界発光材料１６が形成されており、さらに陰極の不透明部分（たとえば金属材料）により形成された一対のフレーム３１ｂ，３３ｂとスポットフレーム３２ｂとが配置され、各フレーム３１ｂ，３２ｂ，３３ｂは、それぞれ陰極の透明部分（たとえばＩＴＯ膜）３１ａ，３２ａ，３３ａによりコネクタ３１ｃ，３２ｃ，３３ｃに電気的に接続されるようになっている。陰極の不透明部分３１ｂ，３２ｂ，３３ｂと、透明な陽極（図示せず）に挟まれた領域の有機電界発光材料１６の部分だけが、両極に電圧を印加することにより電流が流れて、発光するように形成されている。陽極は、コネクタ３０に接続されるようになっている。有効視野エリア２４内は、フレーム３１ｂ，３２ｂ，３３ｂ以外は透明であり、結像した被写体像を観察できるようになっている。
【００３８】
表示板７０は、図３に示すように、透明な基板１０上に、陽極１２、有機電界発光材料１６、陰極３１ａ，３１ｂ；３２ａ，３２ｂ；３３ａ，３３ｂの薄膜が積層されており、その上を覆う封止部材２０と周囲を囲む封止剤２２とによって薄膜層を密封し保護するようになっている。詳しくは、陰極の透明部分３１ａ，３２ａ，３３ａに隣接している有機電界発光材料１６を含む領域では、被写体像が透過光により確認できる。陰極の不透明部分３１ｂ，３２ｂ，３３ｂに隣接して有機電界発光材料１６を含む領域では、電極３１ｂ，３２ｂ，３３ｂが不透明であることで、被写体像は遮光させる。表示板７０は、矢印Ａで示すように、基板１０が接眼側、封止部材２０が対物側となるように配置される。薄膜の有機電界発光材料１６は、陽極１２と陰極の不透明部分３１ｂ，３２ｂ，３３ｂとの間に電圧が印加されると、その内部で正孔および電子が移動して結合し、これにより有機電界発光材料１６の特性に応じて赤、青、黄、緑などの色で発光する。
【００３９】
電圧は、図４に示したように、駆動回路９６を介して表示板７０に供給される。有機電界発光材料１６の発光輝度は、駆動電圧に比例せず電流密度に比例するため、定電流回路にしておいてもよい。また、電流値をＣＰＵ９０からの制御により変更可能にしておけば被写体輝度に応じて、発光輝度を変更することも容易である。電圧の制御は、カメラの動作の制御を統括するＣＰＵ９０により行う。ＣＰＵ９０には、電池９１に接続され一定電圧を供給する電源回路９２と、ＡＦ測距領域や撮影モードの選択、レリーズ等の操作を行うためのスイッチ回路９３と、撮影レンズの焦点を自動調整するためのＡＦ回路９４と、被写体の輝度を検出するための測光回路９５とが接続されている。
【００４０】
一対のフレーム３１ｂ，３３ｂと、中央にスポットフレーム３２ｂとは、陰極の光を通さない不透明部分で形成されているので、被写体が明るい場合には暗く見え、フレーム表示として認識される。一方、周辺輝度が低い場合には、そのままではフレーム表示の識別が困難になるが、電極１２；３１ｂ，３２ｂ，３３ｂ間に電圧を印加して接眼側の有機電界発光材料１６を発光させることによって、認識できるようにする。
【００４１】
フレーム表示自体が発光するので、従来例のようにフレーム表示を外部から照明する照明機構は不要であり、構成が簡単になる。また、照明機構の位置調整作業も不要である。さらに、たとえば封止部材２０の周囲または封止剤２２を不透明にすれば、視野枠とフレーム表示とを一体的に形成することができ、これによって視野枠に対するフレーム表示の位置ずれが発生しないようにすることができる。
【００４２】
図２は、図１とはフレーム表示が異なる電極パターンの表示板７０ａを示している。陰極電極３４ａ，３４ｂ；３５ａ，３５ｂは、フレームを形成する部分３４ｂ，３５ｂが非透明材料により形成され、他の部分３４ａ，３５ａは透明材料で形成されている。陽極１２は全体が透明部材で形成されている。有機電界発光材料（図示せず）は、電極間に配置されている。陽極１２と陰極３４ａ，３５ａとは、表示板７０ａの長辺側の端部に設けたコネクタ３０ａ，３４ｃ，３５ｃに電気的に接続され、電圧が印加されるようになっている。
【００４３】
図６は、視野枠内に７セグメント表示部４４を持つように構成した表示板７０ｂである。
【００４４】
視野枠２の内側には、上記とは同様に陰極の不透明部分によって、ワイドＡＦエリアフレーム４１ｂ，４１ｔ、標準ＡＦエリアフレーム４２ｂ，４２ｔ、スポット測光エリアフレーム４３ｂを形成している。各フレーム４１ｂ，４１ｔ；４２ｂ，４２ｔ；４３ｂを形成する陰極の不透明部分から、表示板７０ｂの長辺側の上端部に設けたコネクタ４１ｃ，４２ｃ，４３ｃへの接続部分４１ａ，４１ｓ；４２ａ，４２ｓ；４３ａには、透明材料を使用する。図示していないが、陽極は、陰極の不透明部分に対応したパターンで形成され、コネクタ４０に接続されている。
【００４５】
一方、視野枠２の内側右下に配置された７セグメント表示部４４は、電極を図示していないが、陰極側電極をも含め、電極および有機電界発光材料が全て透明材料で形成され、表示板７０ｂの下端部に設けたコネクタ４５に電気的に接続されている。７セグメント表示部４４が透明であるのは、７セグメントの各表示要素のうちどれが点灯するかによって数値を表すため、通常、各表示要素は見えている必要がないからである。
【００４６】
次に、視野枠の内側と外側の両方に表示部を設けた第２実施形態を説明する。第１実施形態と同じ構成の部分には同じ符号を用いることとし、以下では、相違点を中心に説明する。図７は、表示板を模式的に示した平面図である。図８は、視野枠外に、絵表示部と７セグメント表示部とを持つ表示板の平面図である。
【００４７】
図７に示すように、表示板７２は、視野枠を含む有効視野エリア２５と、視野枠外の有効視野エリア２６とを有する。視野枠を含む有効視野エリア２５には、第１実施形態と同様に、透明、非透明材料で電極を構成することによって、フレーム３１ｂ，３２ｂ，３３ｂを形成する。視野枠外の有効視野エリア２６には、発光部によってマーク３６ｂ，３７ｂを表示する。視野枠外の有効視野エリア２６は、視野枠を含む有効エリア２５のように光を透過させる必要がないので、ファインダーの対物側に位置する陰極全体３６ａ，３６ｂ；３７ａ，３７ｂや、封止材料２０は、非透明材料で構成すればよい。不図示の陽極は、発光部が見えるように透明であり、視野枠２５内の陽極と一体に形成され、コネクタ３０に接続されている。
【００４８】
具体的には、図８に示すように、表示板７２ｂは、視野枠４の内側については図６と同様に構成されるが、視野枠４の外側にはインファインダー表示部６を有する。インファインダー表示部６は、シャッター速度、絞り値、フィルム感度、フィルム枚数などを表す７セグメント表示部４４と、ＡＦモード、フラッシュモード等を絵表示する絵表示部４６とからなり、コネクタ４７に電気的に接続されるようになっている。
【００４９】
次に、一眼レフカメラに特に好適な第３実施態様について説明する。図９は表示板の平面図、図１０は電気回路のブロック図、図１１はファインダー光学系の構成図である。
【００５０】
ファインダー光学系は、図１１に示すように、撮影レンズ６５と、反射ミラー６６と、焦点板６７と、ペンタプリズム６８と、接眼レンズ６９とを備え、被写体像を結像する焦点板６７とペンタプリズム６８との間に表示板７４が配置される。
【００５１】
ファインダー内には、図９に示した表示板７４が見えるようになっている。表示板７４は、視野枠４の内側に、ＡＦエリアフレーム８１ｋ〜８６ｋ、パノラマフレーム８７ｋ，８８ｋ、スポット測光フレーム８９ｋが配置されている。表示するフレーム数が多く、全部のフレームが見えていると煩雑になるため、各フレーム８１ｋ〜８９ｋは、通常の状態では視認できないように透明な電極および有機電界発光材料により形成されている。そして、必要な時に必要なフレームだけが見えるように、自動またはユーザーの選択により指定されたフレームが発光するようになっている。
【００５２】
電極が透明である場合、不透明である場合に比べて電気抵抗が高くなるため、図に示すように、左右のフレームを分離して、表示板７４の長辺側の端部に設けたコネタク８０，８１ｃ〜８９ｃに最短距離で接続するように電極の配線部分８１ａ〜８９ａを配置している。
【００５３】
陽極、陰極の両方の電極を透明にした場合、陰極の一部を不透明にした場合に比べ、点灯駆動電圧を高くする必要があるため、図１０に示したように、インファインダー表示部６の非透明電極部による表示部１と、視野枠４内の透明電極部による表示部Ｂとについて、電源系統９２ａ，９６ａ；９２ｂ，９６ｂを別にしてもよい。
【００５４】
以上説明したように、各実施形態のカメラは、簡単な構成でファインダー内の表示を見やすくしたファインダー表示装置を備える。
【００５５】
なお、本発明は上記各実施形態に限定されるものではなく、その他種々の態様で実施可能である。たとえば、デジタルカメラ、双眼鏡、距離計、監視カメラのように被写体を光学系により視認する機器において、本発明を適用することが可能である。
【図面の簡単な説明】
【図１】本発明の第１実施形態の表示板の平面図である。
【図２】他の表示板の要部拡大平面図である。
【図３】表示板の断面構造図である。
【図４】電気回路のブロック図である。
【図５】ファインダー光学系の構成図である。
【図６】さらに別の表示板の平面図である。
【図７】本発明の第２実施形態の表示板の平面図である。
【図８】他の表示板の平面図である。
【図９】本発明の第３実施形態の表示板の平面図である。
【図１０】電気回路のブロック構成図である。
【図１１】ファインダー光学系の構成図である。
【図１２】従来例のファインダー内表示の正面図である。
【図１３】他の従来例のファインダー内表示の正面図である。
【図１４】さらに別の従来例のファイダーの光学系の構成図である。
【符号の説明】
４  視野枠
６  インファインダ表示部
１０  基板
１２  陽極（透明電極部）
１６  有機電界発光材料
２０  封止部材
２２  封止剤
２４〜２６  有効視野エリア
３０，３０ａ  陽極コネクタ（電極引き出し部）
３１ａ〜３７ａ  陰極の透明部分（透明電極部）
３１ｂ〜３７ｂ  陰極の不透明部分、フレーム（非透明電極部）
３１ｃ〜３７ｃ  陰極コネクタ（電極引き出し部）
４０，４０ａ  陽極コネクタ（電極引き出し部）
４１ａ，４２ａ，４３ａ  陰極の透明部分（透明電極部）
４１ｂ，４２ｂ，４３ｂ  陰極の不透明部分、フレーム（非透明電極部）
４１ｃ，４２ｃ，４３ｃ  陰極コネクタ（電極引き出し部）
４１ｓ，４２ｓ  陰極の透明部分（透明電極部）
４１ｔ，４２ｔ  陰極の不透明部分、フレーム（非透明電極部）
４４  ７セグメント表示部（透明電極部）
４５  コネクタ（電極引き出し部）
４６  絵表示部（透明電極部）
４７  コネクタ（電極引き出し部）
６０ａ，６０ｂ  ファインダー光学系
６１  対物レンズ
６２  対物プリズム
６３  接眼プリズム
６４  接眼レンズ
６５  撮影レンズ
６６  クイックリターンミラー
６７  焦点板
６８  ペンタプリズム
６９  接眼レンズ
７０，７０ａ，７０ｂ  表示板（有機発光素子）
７２，７２ａ  表示板（有機発光素子）
７４  表示板（有機発光素子）
８０  陽極コネクタ（電極引き出し部）
８１ａ〜８９ａ  陰極の透明部分（透明電極部）
８１ｃ〜８９ｃ  陰極コネクタ（電極引き出し部）
８１ｋ〜８９ｋ  陰極の透明部分、フレーム（透明電極部）
９０  ＣＰＵ（発光表示部制御手段）
９１  電池
９２，９２ａ，９２ｂ  電源回路
９３  操作スイッチ（発光部選択手段）
９４  ＡＦ回路
９５  測光回路（被写体輝度検出手段）
９６，９６ａ，９６ｂ  駆動回路
【図１】
0003539251.tif 000002
【図２】
0003539251.tif 000003
【図３】
0003539251.tif 000004
【図４】
0003539251.tif 000005
【図５】
0003539251.tif 000006
【図６】
0003539251.tif 000007
【図７】
0003539251.tif 000008
【図８】
0003539251.tif 000009
【図９】
0003539251.tif 000010
【図１０】
0003539251.tif 000011
【図１１】
0003539251.tif 000012
【図１２】
0003539251.tif 000013
【図１３】
0003539251.tif 000014
【図１４】
0003539251.tif 000015